(57)【要約】【課題】像担持体の部分的白化や表面粗さ変化等の表面性変化を抑制すると共に、長期にわたって安定した濃度ムラのない画像出力を実現することができる画像形成装置を提供する。【解決手段】潤滑剤が添加されたトナー像を転写紙に転写する中間転写ベルト１６と、中間転写ベルト１６の表面に残存する転写後の残トナーを除去する放射状のブラシ繊維からなるクリーニングブラシ３４と、中間転写ベルト１６の表面と接触し且つ潤滑剤が添加されたトナーを一時的に保持して中間転写ベルト１６に供給するプレブラシ３９と、を備えている。【選択図】      図２
2009181115.tif 000002
【特許請求の範囲】
【請求項１】
潤滑剤が添加されたトナー像を転写紙に転写する像担持体と、該像担持体の表面に残存する転写後の残トナーを除去する放射状のブラシ繊維からなるクリーニングブラシと、前記像担持体の表面と接触し且つ潤滑剤が添加されたトナーを一時的に保持して前記像担持体に供給するプレブラシと、を備えていることを特徴とする画像形成装置。
【請求項２】
前記プレブラシは、非画像形成処理中に前記像担持体に供給された潤滑剤が添加されたトナー像を一時的に保持して前記像担持体に供給することを特徴とする請求項１に記載の画像形成装置。
【発明の詳細な説明】
【技術分野】
【０００１】
本発明は、複写機・プリンタ・ファクシミリ或いはこれらを機能的に具備した複合機等の画像形成装置、特に、転写紙表面に画像転写した後の像担持体表面をクリーニングするクリーニング装置を備えた画像形成装置に関する。
【背景技術】
【０００２】
従来から、複写機・プリンタ・ファクシミリ或いはこれらを機能的に具備した複合機等の画像形成装置には、感光体上に形成された静電潜像を現像剤（トナー）によってトナー像として可視化した後、そのトナー像を中間転写ベルトに一次転写したうえで転写紙表面に二次転写するものが周知である。
【０００３】
また、このような画像形成装置には、次の画像形成処理のために、二次転写後の中間転写ベルトの表面に、転写されずに残存してしまった残トナー等をクリーニングするクリーニング装置を配置したものも周知である。
【０００４】
クリーニング装置は、中間転写ベルトの表面に接触するファーブラシ等のクリーニングブラシと、クリーニングブラシにクリーニングバイアスを印加する回収ローラと、回収ローラの表面とカウンタ方向で接触するクリーニングブレードとを備えている（例えば、特許文献１参照）。
【０００５】
これにより、中間転写ベルトの表面に残存した残トナーは、クリーニングブラシによって静電気的に除去された後、回収ローラを経由して回収することができる。
【０００６】
一方、画像形成装置、特に、フルカラー等の多色印字用の現像剤（トナー）には、中間転写ベルトの部分的白化や表面粗さ変化等の表面性変化を抑制するため、トナーの母剤に潤滑剤（外添剤）としてステアリン酸化合物（例えば、ステアリン酸亜鉛・ステアリン酸カルシウム・ステアリン酸アルミニウム等）を添加したものが使用されている。
【特許文献１】特開２００６−１８４８８５号公報
【発明の開示】
【発明が解決しようとする課題】
【０００７】
ところが、上述した現像剤（トナー）にステアリン酸加工物等の潤滑剤を添加して中間転写ベルトの部分的白化や表面粗さ変化等の表面性変化を抑制する方式を採用した画像形成装置にあっては、特に、黒色の現像剤には、ステアリン酸化合物を添加させることができない。
【０００８】
従って、黒色の現像剤を長く使用していると、トナーの母剤や添加剤或いは転写紙から発生する紙粉等が中間転写ベルトに残存し易く、中間転写ベルト上に蓄積し続けてフィルミング現象が発生してしまうばかりでなく、白化の進展に伴って中間転写ベルト表面の離型性及び二次転写効率が低下し、ゴースト画像が発生するという問題が生じていた。
【０００９】
そこで、本発明は、上記事情を考慮し、像担持体の部分的白化や表面粗さ変化等の表面性変化を抑制すると共に、長期にわたって安定した濃度ムラのない画像出力を実現することができる画像形成装置を提供することを目的とする。
【課題を解決するための手段】
【００１０】
本発明の画像形成装置は、潤滑剤が添加されたトナー像を転写紙に転写する像担持体と、該像担持体の表面に残存する転写後の残トナーを除去する放射状のブラシ繊維からなるクリーニングブラシと、前記像担持体の表面と接触し且つ潤滑剤が添加されたトナーを一時的に保持して前記像担持体に供給するプレブラシと、を備えている。
【００１１】
この際、前記プレブラシは、非画像形成処理中に前記像担持体に供給された潤滑剤が添加されたトナー像を一時的に保持して前記像担持体に供給するのがより一層好ましい。
【００１２】
また、前記クリーニングブラシを前記像担持体に対して接触・離反させるブラシ変位部材を備え、前記プレブラシが前記像担持体に接触している際には前記クリーニングブラシが前記像担持体から離間しているのが好ましい。
【発明の効果】
【００１３】
本発明の画像形成装置は、像担持体の部分的白化や表面粗さ変化等の表面性変化を抑制すると共に、長期にわたって安定した濃度ムラのない画像出力を実現することができる。
【発明を実施するための最良の形態】
【００１４】
次に、本発明の一実施形態に係るクリーニング装置及び画像形成装置について、図面を参照して説明する。
【００１５】
図１は本発明の一実施形態に係るクリーニング装置を備えた画像形成装置の一例の説明図、図２（Ａ）はクリーニングブラシが中間転写ベルトに接触している状態の要部の断面図、図２（Ｂ）はクリーニングブラシが中間転写ベルトから離間している状態の要部の断面図、図３は本発明の一実施形態に係る画像形成装置におけるクリーニング装置の潤滑剤補充タイミング例のタイムチャート図、図４本発明の一実施形態に係る画像形成装置におけるプレブラシを適用した場合（本発明）とプレブラシを適用しなかった場合（従来例）の画像劣化の比較図表である。
【００１６】
［画像形成装置の全体構成］
図１に示すように、本発明の一実施形態に係る画像形成装置としてのプリンタ１は、図示しないコンピュータ等に接続されており、そのコンピュータ等から送られてくる画像情報に基づいてフルカラー画像を転写紙に転写・定着するものである。尚、プリンタ１は、図１の右側がオペレータが操作する正面側となっている。
【００１７】
プリンタ１は、表面に静電潜像が形成される感光体２と、現像器ユニットとしての回転現像装置本体（ロータリ）３と、露光装置としてのレーザユニット４と、補充用トナーを収容したトナーコンテナ５と、トナーコンテナ５に収容した補充用トナーをロータリ３に供給するトナー補給部材６と、中間転写ユニット７と、二次転写ローラ８と、定着装置９とを有している。
【００１８】
［感光体２の構成］
感光体２は、プリンタ１の内部略中央に回転自在に設けられ、その回転軸はプリンタ１の正面側から幅方向に延びるように、即ち、図１の紙面奥行き方向に延びるように設けられている。また、感光体２の上部には、感光体２の表面を一様に帯電するための帯電ローラ１０が設けられている。さらに、感光体２の側方には、感光体２の表面に残留したトナーや付着物を清掃するためのドラムクリーニング装置１１が設けられている。
【００１９】
［ロータリ３の構成］
ロータリ３は、感光体２に形成された静電潜像を各色のトナーによって現像するものであり、感光体２に隣接して、その回転中心が感光体２の回転中心と略同じ高さ位置になるように設けられている。また、ロータリ３は、その全体が感光体２の回転中心軸線と平行な軸線回りに回転自在な円筒形状を呈し、図示しないモータやギアを含む駆動系によって回転される。さらに、ロータリ３は、本実施の形態では４分割されて４色（例えば、イエロー（Ｙ）・マゼンダ（Ｍ）・シアン（Ｃ）・ブラック（Ｋ））のトナーに対応する４つの現像器１２が設置可能となっている。
【００２０】
各現像器１２は、それぞれ略同様の構成であり、感光体２に対向配置可能な現像ローラ１３等が設けられている。また、各現像器１２は、トナーコンテナ５とは離間して配置されており、これにより、ロータリ３のトナー収容スペースは小さく、現像器１２の小型化を図っている。さらに、現像器１２は、ロータリ３に対してそれぞれ着脱可能となっており、現像器１２のメンテナンスや交換を容易に行うことができる。
【００２１】
尚、各現像器１２には、トナーコンテナ５から補給用トナーを現像器１２の内部に補給するために、現像器１２の外形を構成するトナーケース１４の外周面にトナー補給部材６の先端が臨むようにスリット等（図示せず）を形成したゴム等の弾性材料からなるトナー補給部（図示せず）が設けられている。
【００２２】
［レーザユニット４の構成］
レーザユニット４は、外部のコンピュータ等から送られてきた画像情報に基づいて、感光体２を走査露光するものであり、感光体２の上方に配置されている。また、レーザユニット４の内部には、図示を略するレーザ光源、ポリゴンミラー、ポリゴンミラー駆動用モータ等の公知の構成を備えている。さらに、レーザユニット４のレーザ光路の前方には、反射ミラー１５が設けられており、レーザユニット４から発射されたレーザ光は、この反射ミラー１５によって屈曲されて感光体２の表面に照射されるようになっている。
【００２３】
［トナーコンテナ５の構成］
トナーコンテナ５は、ロータリ３の各現像器１２に対応して補給用トナーを収容しているものであり交換可能となるようにプリンタ１に着脱可能に設置されている。また、トナーコンテナ５は、プリンタ１の一方の側面から他方の側面側に向って（図１の紙面奥行き方向に向って）にイエロー（Ｙ），マゼンタ（Ｍ），シアン（Ｃ），ブラック（Ｋ）の各色の補給用トナーを収容した４つのトナーコンテナ５が独立して並列配置されている。
【００２４】
［トナー補給部材６の構成］
トナー補給部材６は、トナーコンテナ５に収容された各色のトナーを、対応する現像器１２に供給するためのものであり、感光体２の上方において、レーザユニット４とトナーコンテナ５との間のスペースに配置されている。また、トナー補給部材６は、上下方向に移動可能にトナーコンテナ５と同数配置されており、図１の紙面奥行き方向にずれた位置で各現像器１２内に臨むことで補給用トナーを現像器１２に補給することができる。
【００２５】
尚、各現像器１２に供給される補給用トナーのうち、ブラック（Ｋ）を除く各色のトナーには、ステアリン酸化合物であるステアリン酸亜鉛・ステアリン酸カルシウム・ステアリン酸アルミニウム等の少なくとも一つが外添剤（潤滑剤）として添加されている。
【００２６】
［中間転写ユニット７の構成］
中間転写ユニット７は、感光体２に形成された各色のトナー画像が無端状の中間転写ベルト１６に順次一次転写されるものであり、感光体２及びトナーコンテナ５の下方に配置されている。この中間転写ベルト１６は、離間して配置された駆動ローラ１７及び従動ローラ１８，１９の間に掛け渡されている。また、中間転写ベルト１６の感光体２と対向する部分は、一次転写ローラ２０によって感光体２に当接するように構成されている。尚、従動ローラ１８は、本実施の形態では中間転写ベルト１６の緊張状態を維持するためのテンションローラの機能を具備している。また、中間転写ベルト１６は、ロータリ３の下方に配置されたクリーニング装置２１によってクリーニングされる。
【００２７】
駆動ローラ１７は、感光体２とロータリ３との接触部の略真下に配置され、その中心はロータリ３の最下端よりもさらに下方に位置している。そして、図示しないモータ及びギアを含む駆動部によって駆動されるようになっている。
【００２８】
従動ローラ１８は、トナーコンテナ５のプリンタ１正面側の底部に近接して配置されており、その高さ位置は略感光体２と同じ位置である。
【００２９】
一次転写ローラ２０は感光体２の下方に設けられ、これにより、中間転写ベルト１６の所定範囲が感光体２に当接されている。
【００３０】
［二次転写ローラ８の構成］
二次転写ローラ８は、中間転写ベルト１６に転写された画像を、搬送されてきた転写紙に二次転写するためのものであり、駆動ローラ１７の下方に対向配置されている。そして、この二次転写ローラ８には、図示しない電圧印加手段によって、転写紙に対して画像転写のためのバイアス電圧が印加されている。
【００３１】
［定着装置９の構成］
定着装置９は、転写紙上に転写されたトナー（画像）を溶融定着するために転写紙の表裏から加熱・加圧するものであり、ロータリ３の下方でプリンタ１の背面寄りに配置されている。この定着装置９は、ハロゲンヒータ等の熱源２２の発熱によって加熱する定着ローラ２３と、定着ローラ２３に圧接する加圧ローラ２４とを備えている。
【００３２】
［搬送経路の構成］
プリンタ１の底部には、図示を略する転写紙を収納する給紙カセット２５が設けられている。そして、この給紙カセット２５に収納された転写紙は給紙部２６から取り出されて排出口２７に至る搬送経路２８へと搬送され、その搬送過程にて上述した画像転写・定着処理が施される。尚、給紙カセット２５は、転写紙の交換や補給等のためにプリンタ１の正面側から引き出し可能とされている。
【００３３】
また、プリンタ１の側面には、起倒可能な手差トレイ２９が設けられており、この手差トレイ２９に転写紙を装着することも可能となっている。手差トレイ２９に装着された転写紙は、手差給紙部３０から取り出されて搬送経路２８に合流され、その搬送過程にて上述した画像転写・定着処理が施される。
【００３４】
さらに、搬送経路２８の二次転写ローラ８よりも上流側には、給紙部２６又は手差給紙部３０から取り出された転写紙の下流端（先端）と中間転写ベルト１６とのタイミング調整のためのレジストローラ対３１が設けられ、搬送経路２８の定着装置９よりも下流側には、両面印刷処理のために定着済みの転写紙をレジストローラ対３１よりも搬送経路２８の上流側へと反転搬送する反転経路３２が設けられている。この際、反転するための転写紙は、一旦、排出口２７付近にまで搬送された後、転写紙後端が反転経路３２の上流口よりも搬送経路２８の下流側へと搬送された後、スイッチバックローラ３３の反転によって反転経路３２へと送り込まれる。
【００３５】
［画像形成動作］
上記の構成において、プリンタ１に電源が投入されると、各種パラメータが初期化され、定着装置９の温度設定を行うなどの初期設定が実行される。そして、このプリンタ１に接続されたコンピュータ等から画像データが入力され、印刷開始の指示がなされると、以下のようにして画像形成動作が実行される。
【００３６】
尚、この画像形成動作中においては、トナー補給部材６はロータリ３から離間して上方の待避位置に移動させられている。
【００３７】
先ず、帯電ローラ１０によって感光体２が帯電された後、感光体２に対してレーザユニット４により画像データに対応した走査露光が行われ、感光体２に静電潜像が形成される。
【００３８】
次に、ロータリ３が回転されて、対応する色の現像器１２が感光体２に対向させられる。この状態で、感光体２の静電潜像が対応する色のトナーによって現像される。
【００３９】
現像された画像は、中間転写ベルト１６に転写され、以上の動作を各色毎に順次繰り返すことによって、中間転写ベルト１６上にフルカラー画像が形成される。尚、感光体２に残留した残トナー等は、ドラムクリーニング装置１１により清掃されて、図示しない廃トナーコンテナに廃棄される。
【００４０】
一方、給紙部２６によって取り出された給紙カセット２５の最上位に位置する転写紙は、レジストローラ対３１によって中間転写ベルト１６上の画像形成位置とでタイミング合わせを行ったうえで二次転写ローラ８へと搬送される。
【００４１】
二次転写ローラ８は中間転写ベルト１６に当接しているため、二次転写ローラ８に印加された転写バイアスにより中間転写ベルト１６上に形成されたフルカラー画像が転写紙に転写された後、定着装置９に案内され、この定着装置９による加熱・加圧によって画像が転写紙に定着される。
【００４２】
定着後の転写紙は、片面印刷の場合にはスイッチバックローラ３３を経由してそのまま排出口２７から排出される。また、両面印刷の場合には、スイッチバックローラ３３により反転経路３２へとスイッチバックされ、レジストローラ対３１よりも搬送経路２８の上流側へと戻された後、転写紙の裏面側に画像形成処理を行ったうえで排出口２７から排出される。
【００４３】
また、転写後の中間転写ベルト１６に残留した残トナー等は、バイアスクリーニング方式を採用したクリーニング装置２１によって除去された後、図示しない廃トナー容器に廃棄される。
【００４４】
［クリーニング装置２１］
以下、本発明のクリーニング装置２１の具体例を説明する。
【００４５】
クリーニング装置２１は、図２に示すように、中間転写ベルト１６の表面と接触するように多数のブラシ繊維（導電性）を芯金に巻き付けた円筒状の静電ファーブラシ等からなるクリーニングブラシ３４と、クリーニングブラシ３４で除去した残トナーを回収する回収ローラ３５と、回収ローラ３５の表面とカウンタ接触して回収ローラ３５で回収した残トナーを掻き取るクリーニングブレード３６と、クリーニングブレード３６で掻き取った残トナー等を廃トナーコンテナへと搬送するスパイラル３７と、クリーニングブラシ３４を回転可能に保持すると共に回収ローラ３５の回転軸を中心として回動可能な軸受アーム３８と、クリーニングブラシ３４とは独立して中間転写ベルト１６の表面と接触するプレブラシ３９と、を備えている。
【００４６】
尚、残トナーを回収するトナー回収手段としては、上述した回収ローラ３５を当接させてのバイアス回収方式の他、フリッカー等による掻き落とし方式でも良い。
【００４７】
［クリーニングブラシ３４］
クリーニングブラシ３４は、例えば、６ナイロン等の樹脂性のブラシ繊維（フィラメント）を放射状に高密度で植設した長尺の織布を螺旋状に巻き付け接着してロール状に形成されている。また、クリーニングブラシ３４は、図２の矢印で示すように、中間転写ベルト１６の回転方向と逆方向に回転し、その接触部分における線速度比は１．１に設定されている。この際、線速度比は、０．８〜１．２０の範囲内に設定するのが好ましい。さらに、クリーニングブラシ３４は、所定の食い込み量（Ａ）で中間転写ベルト１６の表面に接触すると共に、所定の食い込み量（Ｂ）で回収ローラ３５に接触している。
【００４８】
尚、この中間転写ベルト１６に対するクリーニングブラシ３４の食い込み量（Ａ）（以下、「ベルト−ブラシ食い込み量（Ａ）」と称する）は、中間転写ベルト１６が存在しなかった場合、クリーニングブラシ３４のブラシ繊維先端部が中間転写ベルト１６内へ入り込む最大値として定義し、回収ローラ３５に対するクリーニングブラシ３４の食い込み量（Ｂ）（以下、「ローラ−ブラシ食い込み量（Ｂ）」と称する）は、回収ローラ３５が存在しなかった場合、クリーニングブラシ３４のブラシ繊維先端部が回収ローラ３５に入り込む最大値として定義する。
【００４９】
本発明において、ベルト−ブラシ食い込み量（Ａ）は、１±０．２ｍｍに設定しているが、ブラシ繊維の長さの半分以下までであれば特に問題はない。尚、ベルト−ブラシ食い込み量（Ａ）は、０．５〜１．５ｍｍの範囲内に設定するのが好ましい。また、中間転写ベルト１６とクリーニングブラシ３４との接触点において、中間転写ベルト１６とクリーニングブラシ３４の線速度比は０．８〜１．２０（カウンター方向）の範囲内にあることが望ましい。
【００５０】
［回収ローラ３５］
回収ローラ３５は、例えば、ステンレス製の円柱体からなり、クリーニングブラシ３４の回転方向と逆方向に回転し、クリーニングブラシ３４の各ブラシ繊維に付着した残トナー等を回収ローラ３５側に電気的に回収する。
【００５１】
また、回収ローラ３５の軸受は、片側が導電性軸受となっており、この導電性軸受を通して回収ローラ３５にバイアスが印加されるようになっている。この際、クリーニングブラシ３４の軸受は非導電性とされ、回収ローラ３５に印加したバイアスにロスが発生し難く、クリーニングバイアスとして作用できるようになっている。
【００５２】
尚、駆動ローラ１７は接地されている。クリーニング電流は回収ローラ３５から導電性クリーニングブラシ３４を通して中間転写ベルト１６から駆動ローラ１７に流れるようになっている。クリーニングブラシ３４の抵抗を最適にすることで、中間転写ベルト１６とクリーニングブラシ３４、またクリーニングブラシ３４と回収ローラ３５との間で必要十分な電界を形成することができる。
【００５３】
［軸受アーム３８］
軸受アーム３８は、図示を略すバネやカムを介して回動し、クリーニングブラシ３４が中間転写ベルト１６に対して圧接・離間することができるようになっている。
【００５４】
この際、軸受アーム３８は、回収ローラ３５の回転軸を中心に回動することによって回収ローラ３５とクリーニングブラシ３４との相対距離が一定であるため、常にクリーニングブラシ３４を回収ローラ３５に対して同一のローラ−ブラシ食い込み量（Ｂ）で食い込ませることができる。
【００５５】
［プレブラシ３９］
プレブラシ３９は、クリーニングブラシ３４よりも中間転写ベルト１６の回動移動方向上流側に配置されていると共に、転写紙幅方向の略全幅に跨るデッキブラシ状のものが用いられており、金属石鹸系のステアリン酸化合物であるステアリン酸亜鉛を中間転写ベルト１６に塗付する。
【００５６】
具体的には、フルカラーの画像形成処理を行った際には、外添剤（潤滑剤）としてステアリン酸化合物を添加したトナーがその画像形成処理に応じて中間転写ベルト１６に転写され、そのイエロー（Ｙ），マゼンタ（Ｍ），シアン（Ｃ）等の残トナーがプレブラシ３９によって一時的に回収される。
【００５７】
これにより、その残トナーの回収許容量を超えた分は、中間転写ベルト１６の表面に潤滑剤として保持された後、クリーニングブラシ３４に回収される。
【００５８】
尚、図３に示すように、所定枚数のブラック（Ｋ）単色の画像形成処理を行った場合、その所定枚数後の紙間距離を空け（例えば、転写紙１枚処理分）、その間にブラック以外のトナー（例えば、イエロー）を中間転写ベルト１６にプレ転写し、そのプレトナー像をプレブラシ３９に保持させることでステアリン酸化合物を添加したトナーをプレブラシに補給するように構成することも可能である。
【００５９】
この際、二次転写ローラ８は、中間転写ベルト１６から離間させるのが好ましい。さらに、画像形成処理前後のアイドリング動作として、上述した所定枚数処理後のプレトナー像の転写・プレブラシ補給を行っても良い。
【００６０】
また、プレブラシ３９は、例えば、画像形成処理を行っている際にステアリン酸化合物を添加した残トナーを一時的に保持するのであれば画像転写部（二次転写ローラ８）とクリーニングブラシ３４との間に配置される。
【００６１】
さらに、画像形成処理を行っていない際にステアリン酸化合物を添加したトナーを一時的に保持するのであればどこに配置しても良い。
【００６２】
尚、このアイドリング動作によって中間転写ベルト１６にステアリン酸化合物を添加したトナーを保持させるには、中間転写ベルト１６を少なくとも１周分回動移動させるのが好ましく、しかも、そのトナーは次の画像形成処理の際には中間転写ベルト１６からクリーニング装置２１で回収される。
【００６３】
［評価・測定］
このようなクリーニング装置２１は、プレブラシ３９からステアリン酸化合物を添加したトナー（残トナー）が補給されると共に、そのトナー（残トナー）がクリーニングブラシ３４によって中間転写ベルト１６から回収されるため、中間転写ベルト１６の表面に潤滑剤を塗布することができる。
【００６４】
図４は、本実施の形態におけるプレブラシ３９を用いて所定枚数（例えば、１００枚）のブラック（Ｋ）単色の画像形成処理を行う毎にプレトナー像（例えば、イエロー）を中間転写ベルト１６に転写してプレブラシ３９に一時的に保持させた場合と、プレブラシ３９を用いない場合との実験結果の図表である。
【００６５】
尚、この実験では、
中間転写ベルト１６
材質：ポリエステル又はナイロンの樹脂ベルト
厚さ：０．１〜０．２ｍｍ
ベルト−ブラシ食い込み量（Ａ）：１．０ｍｍ
クリーニングブラシ３４
ブラシ材質：ナイロン又はポリエステル（導電繊維）
ブラシ径：１４ｍｍ
繊維長さ：４．５ｍｍ
繊維密度：１８，６００フィラメント／ｃｍ２
繊維太さ：６デニール
ブラシ回転数：２５０ｒｐｍ
ローラ−ブラシ食い込み量（Ｂ）：１．０ｍｍ
回収ローラ３５
印加電圧：Ｖｂｒ−２００〜−２０００Ｖ
プレブラシ３９
材質：ナイロン又はポリエステル（導電繊維）
繊維長さ：４．５ｍｍ
繊維密度：１８，６００フィラメント／ｃｍ２
繊維太さ：６デニール
ブラシ−ベルト食い込み量（Ｂ）：１．０ｍｍ
で画像形成処理を実行した。
【００６６】
具体的には、非作像域（図３では紙間）で現像したトナーを、１次転写させて中間転写ベルト１６に転写する。尚、トナーにはステアリン酸化合物が添加されている。
【００６７】
以下、６サイクルのフルカラーのプリンタ１を用い、白黒画像形成処理の際にはロータリ３は回転せず、ステアリン酸化合物が添加されていないブラックの単色現像（磁性１成分ジャンピング）にてトナー像を形成する例を挙げる。
【００６８】
ここで、白黒画像イメージを５００枚連続印刷する指令をした場合、ロータリ３は、すぐにブラックの現像器１２を作像位置（感光体２との対向位置）に移動させ、作像を開始する。
【００６９】
１００枚印字した後、ロータリ３は回転し、イエローの現像器１２を作像位置に回転移動させる。イエローの現像器１２は、非磁性１成分ジャンピング現像器である。また、イエロートナーには、ステアリン化合物が０．０２重量％添加されている。
【００７０】
白黒画像の形成中であるが、印字動作を一旦イエロー作像に切り替えて、イエロー画像を中間転写ベルト１６に形成する。
【００７１】
また、二次転写部においては二次転写ローラ８が中間転写ベルト１６から離間されている。
【００７２】
さらに、中間転写ベルト１６に吐き出されたイエロートナーは、プレブラシ３９へと移動される。プレブラシ３９は、中間転写ベルト１６に対して離接可能（クリーニングブラシ３４と同時でも別駆動でも良い）となっており、ここではイエロートナーを一時的に回収するために中間転写ベルト１６の表面に圧接されて吐き出したイエロートナーを堰き止める（一時的に保持する）。
【００７３】
この堰き止め状態で、中間転写ベルト１６を回動移動させると、中間転写ベルト１６の表面にステアリン酸化合物を塗布することができる。尚、プレブラシ３９にはトナー極性と逆極性を印加しても良い。
【００７４】
中間転写ベルト１６が一回転すると、ロータリ３を再度動作させ、ブラック用の現像器１２による作像を再開させる。
【００７５】
さらに、上述したイエロートナーの吐き出しは、ブラック単色のみの画像形成処理の１００枚目、２００枚目、３００枚目、４００枚目、５００枚目の終了直後に行う。
【００７６】
尚、この枚数設定は任意であり、延べ又は連続の何れの設定でも良い。
【００７７】
また、プレブラシ３９は、ブラック単色の連続印字作像中は中間転写ベルト１６に圧接しているのが好ましい。
【００７８】
この際、プレブラシ３９と中間転写ベルト１６との間には、ステアリン化合物入りのトナー（イエロー）が介在しているため、常時、中間転写ベルト１６の表面にステアリン化合物が塗布されていることとなる。
【００７９】
これにより、プレブラシ３９にイエロートナーを含有させた実施例では、１００００枚の耐久実験において、中間転写ベルト１６の表面には白化物は存在せず、画像は良好であった。
【００８０】
一方、従来構成での例では、４０００枚付近から中間転写ベルト１６の表面に白化物が存在し始め、８０００枚程度で、白化物が顕著となって中間転写ベルト１６の離型性が悪化し、中間転写ベルト１６の表面に二次転写残トナーが残留し続け、ゴースト画像が発生した。
【図面の簡単な説明】
【００８１】
【図１】本発明の一実施形態に係るクリーニング装置を備えた画像形成装置の一例の説明図である。
【図２】本発明の一実施形態に係る画像形成装置を示し、（Ａ）はクリーニングブラシが中間転写ベルトに接触している状態の要部の断面図、（Ｂ）はクリーニングブラシが中間転写ベルトから離間している状態の要部の断面図である。
【図３】本発明の一実施形態に係る画像形成装置におけるクリーニング装置の潤滑剤補充タイミング例のタイムチャート図である。
【図４】本発明の一実施形態に係る画像形成装置におけるプレブラシを適用した場合（本発明）とプレブラシを適用しなかった場合（従来例）の画像劣化の比較図表である。
【符号の説明】
【００８２】
１…プリンタ（画像形成装置）
１６…中間転写ベルト（像担持体）
２１…クリーニング装置
３４…クリーニングブラシ
３９…プレブラシ
【図１】
2009181115.tif 000003
【図２】
2009181115.tif 000004
【図３】
2009181115.tif 000005
【図４】
2009181115.tif 000006